(57)【要約】      （修正有）【課題】外部から搬送されたパチンコ玉を貯留タンクに貯留する際、パチンコ玉の勢いを緩和した状態で内部へ流下させ、また貯留タンク内に貯留された玉が全体的に満遍なく排出されるようにした玉循環機構を提供する。【解決手段】パチンコ台で使用するパチンコ玉を貯留するためのパチンコ玉貯留タンク１を備えた玉循環機構において、パチンコ玉貯留タンク１の底面にて上流側から排出口４０に向けてトンネル状の玉通路３７が設けられ、玉通路３７の上流側にはパチンコ玉が流入可能な上流側開口３８を備え、玉通路３７の側壁３７ａ，３７ｂが排出口４０を幅方向に仕切ると共に、側壁３７ａ，３７ｂが排出口４０から外方へ突出形成された。【選択図】図９
2013121519.tif 000002
【特許請求の範囲】
【請求項１】
パチンコ台で使用するパチンコ玉を貯留するためのパチンコ玉貯留タンクを備えた玉循環機構において、
前記パチンコ玉貯留タンクの底面にて上流側から排出口に向けてトンネル状の玉通路が設けられ、
玉通路の上流側にはパチンコ玉が流入可能な上流側開口を備え、
玉通路の側壁が排出口を幅方向に仕切ると共に、
該側壁が排出口から外方へ突出形成されたことを特徴とする玉循環機構。
【請求項２】
パチンコ台で使用するパチンコ玉を貯留するためのパチンコ玉貯留タンクを備えた玉循環機構において、
前記パチンコ玉貯留タンクの底面にて上流側から排出口に向けてトンネル状の玉通路が設けられ、
玉通路の上流側にパチンコ玉が流入可能な上流側開口を備えると共に、
玉通路の下流側にパチンコ玉が流入可能な下流側開口を備え、
下流側開口の内側に排出口を幅方向に仕切る仕切壁が設けられると共に、
該仕切壁が排出口の外方へ突出形成されたことを特徴とする玉循環機構。
【発明の詳細な説明】
【技術分野】
【０００１】
本発明は、パチンコ台で使用するパチンコ玉を貯留するためのパチンコ玉貯留タンクを備えた玉循環機構に関する。
【背景技術】
【０００２】
従来から、パチンコ遊技場等においては遊技島を複数配置して島列を形成すると共に、島列の端部に大容量の貯留タンクを配置し、各島から島間に接続した樋を介して回収したパチンコ玉を貯留タンクに貯留することが行なわれている。そして、この貯留タンクから各島の貯留タンクへ樋を介してパチンコ玉を供給した後、各島では貯留タンク内のパチンコ玉が研磨リフトで上部タンクへ揚送され、上部タンクから補給樋を介して、夫々のパチンコ台へ補給されることとなる。
【０００３】
このような流れを有するパチンコ玉供給システムの具体例として、特許文献１を参照すると、図１１（ａ）、（ｂ）に示すように、パチンコ玉は上部タンク６０から補給棚６１を介してパチンコ台へ補給され、上部タンク６０で溢れたパチンコ玉はオーバーフローホース６２を経て、また各島から回収されたパチンコ玉は第１返却ホース６７を経て夫々送られた後、ベースタンク６３に流入され、ベースタンク６３内に設けられた棚板６４を流下した後、ベースタンク６３内に貯留される。
【０００４】
ところが、上記の構成において、パチンコ玉の勢いが緩和されない状態でベ−スタンク６３内の棚板６４を転動すると、パチンコ玉がベ−スタンク６３の壁面に勢いよく衝突してベースタンク６３の壁面が破損し、また騒音を発するという不都合があった。
【０００５】
また、上記の構成において、ベースタンク６３に貯留されたパチンコ玉は、図１１（ｂ）に示すように、傾斜状の両側の底板６５、６５を経て、その中央に設けられた接続樋６６に導かれた後、外部に排出されるが、主に接続樋６６の近傍に貯留されたパチンコ玉が排出されるだけであって、上流側のタンク底に貯まったパチンコ玉が長く滞留すると、パチンコ玉に錆が発生する等の不都合が生じる。
【先行技術文献】
【特許文献】
【０００６】
【特許文献１】特開平９−１７３６０６号公報
【発明の概要】
【発明が解決しようとする課題】
【０００７】
本発明は、以上の事情に鑑みてなされたもので、外部から搬送されたパチンコ玉を貯留タンクに貯留する際、パチンコ玉の勢いを緩和した状態で内部へ流下させ、また貯留タンク内に貯留された玉が全体的に満遍なく排出されるようにした玉循環機構を提供することを目的とする。
【課題を解決するための手段】
【０００８】
上記の問題を解決するために、本発明における請求項１の玉循環機構は、パチンコ台で使用するパチンコ玉を貯留するためのパチンコ玉貯留タンクを備えた玉循環機構において前記パチンコ玉貯留タンクの底面にて上流側から排出口に向けてトンネル状の玉通路が設けられ、玉通路の上流側にはパチンコ玉が流入可能な上流側開口を備え、玉通路の側壁が排出口を幅方向に仕切ると共に、該側壁が排出口から外方へ突出形成されたことを特徴とする。
【０００９】
また、本発明における請求項２の玉循環機構は、パチンコ台で使用するパチンコ玉を貯留するためのパチンコ玉貯留タンクを備えた玉循環機構において、パチンコ玉貯留タンクの底面にて上流側から排出口に向けてトンネル状の玉通路が設けられ、玉通路の上流側にパチンコ玉が流入可能な上流側開口を備えると共に、玉通路の下流側にパチンコ玉が流入可能な下流側開口を備え、下流側開口の内側に排出口を幅方向に仕切る仕切壁が設けられると共に、該仕切壁が排出口の外方へ突出形成されたことを特徴とする。
【発明の効果】
【００１０】
本発明による玉循環機構によれば、パチンコ玉貯留タンクの底面にて上流側から排出口に向けてトンネル状の玉通路が設けられ、玉通路の上流側にはパチンコ玉が流入可能な上流側開口を備え、玉通路の側壁が排出口を幅方向に仕切ると共に、該両側壁が排出口から外方へ突出形成されているため、玉通路の外方にて貯留タンク内を転動してきたパチンコ玉の流れの向きが、排出口から外部へ突出した両側壁に沿った向きに整えられた後に、玉通路内を転動してきたパチンコ玉と合流することができ、排出口付近にパチンコ玉を滞留させることなく、円滑な流れによって排出口から排出される結果、パチンコ玉貯留タンクに貯留されたパチンコ玉が全体的に満遍なく排出されることが可能となる。
【００１１】
また、パチンコ玉貯留タンクの底面にて上流側から排出口に向けてトンネル状の玉通路が設けられ、玉通路の上流側にはパチンコ玉が流入可能な上流側開口を備えると共に、玉通路の下流側にパチンコ玉が流入可能な下流側開口を備え、下流側開口の内側に排出口を幅方向に仕切る仕切壁が設けられると共に、該仕切壁が排出口の外方へ突出形成されたことにより、玉通路の外方で貯留タンク内を転動してきたパチンコ玉の流れの向きが、排出口から外部へ突出した仕切り壁に沿った向きに整えられた後に、玉通路内を転動してきた玉と合流するため、排出口付近にパチンコ玉を滞留させることなく、円滑な流れによって排出口から排出される結果、パチンコ玉貯留タンクに貯留されたパチンコ玉が全体的に満遍なく排出されることが可能となる。
【図面の簡単な説明】
【００１２】
【図１】本発明の実施例に係る遊技島全体の斜視図である。
【図２】本発明の実施例に係る遊技島であって貯留タンクを有しない遊技島の正面図である。
【図３】本発明の実施例に係る遊技島であって貯留タンクを有する遊技島の正面図である。
【図４】本発明の実施例に係る貯留タンクの斜視図である。
【図５】本発明の実施例に係る貯留タンクの内部構造を示す斜視図である。
【図６】本発明の実施例に係る玉受けユニットの内部構造を示す斜視図である。
【図７】（ａ）は本発明の実施例に係る受給口緩衝部材を受給口側から見た斜視図であり、（ｂ）はその反対側から見た斜視図である。
【図８】（ａ）〜(ｃ)は、本発明の実施例に係る落下玉受け部材の各態様を示す側面図である。
【図９】（ａ）、（ｂ）は、本発明の実施例に係る貯留タンクの底板に設けられた玉通路の各態様を示す側面図である。
【図１０】本発明による他の実施例として、落下玉受け部材の構成をオーバーフロー機構に適用した例を示すものであり、(ａ)は斜視図、(ｂ)は側面図である。
【図１１】（ａ）は特許文献１におけるベースタンクの外観斜視図、(ｂ)はその内部構造を示す斜視図である。
【発明を実施するための最良の形態】
【００１３】
以下、本発明の実施例について図面を参照しながら説明する。
【００１４】
本実施例の大容量貯留タンク１が設けられた玉循環機構について述べると、図１に示すように、複数の遊技島２Ａ、２Ｂが配列され、各遊技島に設けられた上部タンク３は複数の傾斜状に掛け渡された樋４で連結されると共に、遊技島列の端部の遊技島２Ｂの両側に設けられたパチンコ台列５Ａ、５Ｂ間にはパチンコ玉の大容量貯留タンク１が設置され、大量のパチンコ玉を各遊技島に効率よく配分することが可能とされている。
【００１５】
図２は上記の大容量貯留タンク１が設けられた遊技島２Ｂ以外の各遊技島２Ａ、２Ａ…の一つを正面から見た図である。なお、遊技島２Ａ、２Ａ…は略同一の構成を有する。この遊技島２Ａには、複数台配列されたパチンコ台５と、各パチンコ台５、５間に設けられた遊技媒体貸出機６と、パチンコ玉を磨きながら揚送する揚送装置７と、揚送装置７の上部に設けられた上部タンク３と、遊技島２Ａ内に多量のパチンコ玉を貯留する玉貯留タンク８とが備えられている。このような構成において、各パチンコ台５、５…の下方には排出されたパチンコ玉（アウト玉）を回収する回収樋９ｂが揚送装置７の下部に向かって傾斜状に設けられている。また、玉貯留タンク８から排出したパチンコ玉は揚送装置７により上部タンク３内に揚送され、上部タンク３から各パチンコ台５、５…及び各遊技媒体貸出機６、６…に補給樋９ａを介して補給される。
【００１６】
さらに、所定の遊技島（図１の遊技島列においては左方から２番目の遊技島２Ａと遊技島２Ｂのパチンコ台列５Ａ）の端部には計数機４４が設置されており、遊技客が獲得した景品玉は計数機４４に返却され、計数機４４に返却されたパチンコ玉もまた、図２、図３に示す左側の回収樋９ｂに回収される。
【００１７】
また、図２に示す遊技島２Ａの揚送装置７の奥側には上部タンク３に接続されたオーバーフロー管（図１０にて詳述する）が設けられ、遊技島２Ａの上部タンク３の容量を超えて溢れたパチンコ玉を遊技島２Ａの下部の玉貯留タンク８へ回収する。
【００１８】
図３に示す遊技島２Ｂは、多数のパチンコ台５、５…が配列された背後に大容量貯留タンク１が配置され(図１参照)、図２の遊技島２Ａにおける玉貯留タンク８は設けられていないが、その他の構成は、上記の遊技島２Ａと同様、複数台配列されたパチンコ台５と遊技媒体貸出機６と揚送装置７と上部タンク３と樋４と回収樋９ｂ等を備えている。このような遊技島２Ｂの上部タンク３に移送されたパチンコ玉が上部タンク３の容量を超えて溢れると、パチンコ玉は、玉受けユニット１０に接続される４つの樋４ａ、４ｂ、４ｃのうちの最下部の樋４ｃから大容量貯留タンク１へ回収される。
【００１９】
上記の本実施例における大容量貯留タンク１は、図１に示すように、遊技島２Ａ、２Ｂの各上部タンク３から複数の樋４を経て搬送されたパチンコ玉を貯留すると共に、外部へ排出可能にしたものであって、図４に示すように、大容量貯留タンク１の上部に玉受けユニット１０が設けられると共に、玉受けユニット１０の内部には夫々の樋４の端部が連結されてなる受給口１１、１１…が設けられた位置に、受給口緩衝部材１２、１２…（図６参照）を固設した構成を有している。
【００２０】
このような大容量貯留タンク１について詳細に述べると、図４に示すように、タンクの外装は、複数のパネル１３を配置してＬ字形板金１４でネジ止めした構成とされている。このような構造は、構成材料を分解した状態で搬送し、現場にて組み立てるパネル構造であるため、材料の輸送が容易であり、また遊技場の広さや遊技島の長さに応じて、大容量貯留タンク１の大きさを変えることも可能である。
【００２１】
上記の大容量貯留タンク１は、その補強構造として、図４又は図５に示すように、内部の４隅にＬ字形縦金１５が用いられ、また前面壁１６ａと背面壁１６ｂとの間には多数の棒状の補強部材１７が設けられ、さらに大容量貯留タンク１の底板１８は底板支持部材１９で支持された構造とされているため、大容量貯留タンク１の内部に多量のパチンコ玉が貯留された場合でも、底板１８が抜けることがない構造とされている。
【００２２】
また、大容量貯留タンク１を構成する各パネル１３ごとに幅がパチンコ玉の直径よりも小さいスリット状のスイッチ取付孔２１が多数設けられているため、夫々のスイッチ取付孔２１にスイッチ（大容量タンク１内のパチンコ玉を検知するためのセンサとして使用される）２０の取付け位置を自由に設定することが可能であり、またスイッチ２０を取付けないスイッチ取付孔２１の隙間から大容量貯留タンク１内のパチンコ玉の量を視認することが可能である。
【００２３】
さらに、大容量貯留タンク１内の底板１８は夫々の合わせ目に下流側が下段となる段差１８ａが設けられているため、底板１８の合わせ目にパチンコ玉が引っ掛ることがないようにしてあり、これによってパチンコ玉が天板１８上を円滑に流下することが可能とされている。
【００２４】
また、図４又は図５に示すように、上記構成の大容量貯留タンク１の上部には玉受けユニット１０が設置されている。この玉受けユニット１０は、図６に示す筐体１０ａの内部空間を前後の二室に分割する仕切板２２を固設してなり、前室と後室には互い違いの位置に縦方向に３箇所に並ぶ受給口１１、１１、１１が形成され、各受給口１１に夫々の樋４（図１参照）の端部が連結されると共に、夫々の受給口１１には受給口緩衝部材１２を固設した構成とされている。このような構成によって、玉受けユニット１０の両側に設けられた樋４、４を連結することが可能となり、仕切板２２によって両側の受給口１１、１１…から受けたパチンコ玉同士の衝突を防止することが可能となる。
【００２５】
各受給口緩衝部材１２は、図７(ａ)、（ｂ）に示すように、受給口１１と略同幅に設けられた両板２３、２３と、天板２４と、下部が湾曲形状のゴム又はウレタン等の弾性部材により形成された湾曲弾性部材２５と、受給口１１の対向側に垂下状に設けられたゴム又はウレタン等の弾性部材からなる垂下弾性部材２６とを有する構成とされている。このような構成により、受給口１１から入ったパチンコ玉が垂下弾性部材２６に衝突することによって、打撃力の強いパチンコ玉の勢いを緩衝し、また衝突時に発生する騒音を消失させることができ、この垂下弾性部材２６に衝突した玉を湾曲弾性部材２５によって緩衝状態で受けると共に、湾曲形状の中央に集めながら、その下方の落下玉受け部材２７ａ、２７ｂ（図６参照）へと落下させることができる。
【００２６】
また、図８（ａ）〜(ｃ)に示すように、上記の筐体１１ａを有する玉受けユニット１０の下部開放側は玉受けユニット１０の下部両側から片持支持２８で取付けられた一対の落下玉受け部材２７ａ、２７ｂが互いにパチンコ玉の落下用隙間２７ｃ方向に下り勾配を有する構成とされ、夫々の落下玉受け部材２７ａ、２７ｂは、先端側が撓み易く、取付側が撓み難い構成とされている。
【００２７】
上記の落下玉受け部材２７ａ、２７ｂの具体的な第１実施例としては、図６に示すように、夫々の落下玉受け部材２７ａ、２７ｂが肉厚部材３０の上部に肉薄部材２９を重ねて固設し、肉薄部材２９が肉厚部材３０よりも先端側に長く形成したことにより、先端側が肉薄に形成されると共に、支持側が肉厚に形成されることにより、先端が撓み易く、取付側が撓み難い構成とされている。なお、各落下玉受け部材２７ａ、２７ｂの使用材料として、先端側が肉薄であって支持側が肉厚に形成された一体的な部材を用いることによって形成してもよい。
【００２８】
また、上記の落下玉受け部材２７ａ、２７ｂの具体的な第２実施例としては、図８（ａ）に示すように、夫々の落下玉受け部材２７ａ、２７ｂが、剛性の高い第１受け部材３１の上部に剛性の低い第２受け部材３２を重ねて固設すると共に、第２受け部材３２を第１受け部材３１よりも先端側に長く形成したことにより、先端側が低剛性で取付側が高剛性となり、このため先端が撓み易く、取付側が撓み難い構成とされている。なお、このような構成においても、各落下玉受け部材２７ａ、２７ｂの使用材料として、先端側が低剛性であって支持側が高剛性に形成された一体的な部材を使用することにより形成してもよい。
【００２９】
さらに、上記の落下玉受け部材２７ａ、２７ｂの具体的な第３実施例としては、図８（ｂ）に示すように、夫々の落下玉受け部材２７ａ、２７ｂの下側近傍に撓み規制手段３３ａ、３３ｂが設けられた構成とされている。このような構成により、夫々の撓み規制手段３３ａ、３３ｂよりも先端側の落下玉受け部材２７ａ、２７ｂの部位が取付側よりも撓み易い構成とされている。
【００３０】
さらに、上記の落下玉受け部材２７ａ、２７ｂの具体的な第４実施例としては、図８(ｃ)に示すように、夫々の落下玉受け部材２７ａ、２７ｂの先端側に撓みを増進する切除部分３４、３４…が設けられ、この切除部分３４、３４…を有する先端側が撓み易い構成とされている。
【００３１】
上記の構成により、玉受けユニット１０の内部に設けられた受給口緩衝部材１２、１２…から落下したパチンコ玉を夫々の落下玉受け部材２７ａ、２７ｂによって緩衝状態で受け、落下玉受け部材２７ａ、２７ｂの各先端側を下方へ撓ませ、中央の落下用隙間２７ｃから落下したパチンコ玉を大容量貯留タンク１へ流下させることとなる。
【００３２】
さらに、本発明の他の実施例として、図２に示す上部タンク３からオーバーフローしたパチンコ玉を玉貯留タンク８に導くオーバーフロー機構に上記の落下玉受け部材２７ａ、２７ｂの構成を適用することが可能である。その構成は、遊技島２Ａの上方に設けられた上部タンク３にオーバーフロー管４５が接続され、オーバーフロー管４５の下部に、図６又は図８（ａ）〜(ｃ)に示す玉受け部材２７ａ、２７ｂと同構成の玉受け部材４６を設けたものである。
【００３３】
即ち、図１０（ａ）、（ｂ）に示すように、オーバーフロー管４５の下部には断面コ字形に形成された下部受け筐体４７によって一側方が開放されたカバーがなされ、開放側４７ａの反対側面にブラケット４８が固設され、このブラケット４８に一端を片持支持によって固設された１枚の玉受け部材４６が取付けられている。この玉受け部材４６は、図６又は図８（ａ）〜(ｃ)に示す各種態様の玉受け部材２７ａ、２７ｂの構成を適用することによって、玉受け部材４６の取付側が撓み難く、先端側が撓み易い構成とされている。これによって、オーバーフロー管４５内を落下してきたパチンコ玉の重量によって玉受け部材４６の先端側が撓み、開放側４７ａからパチンコ玉が落下する。
【００３４】
また、上記のように玉受け部材４６の撓んだ先端側から落下したパチンコ玉はオーバーフロー管４５の下方に設けられた傾斜案内板４９で受け止められ、その傾斜に沿って転動しながら分岐通路５０へ流下する。傾斜案内板４９の周囲には分岐通路５０側以外の三方を囲む側壁５１が設けられ、下部受け筐体４７が脚部５２、５３で支持されている。
【００３５】
また、分岐通路５０は左右の傾斜通路５０ａ、５０ｂを有し、上記の傾斜案内板４９にはパチンコ玉を分岐通路５０の片側（図２の玉貯留タンク８が設けられた側）に優先的に導くための仕切板５４が固設され、この仕切板５４によってオーバーフロー管４５を介して落下したパチンコ玉を優先すべき側へ誘導することが可能となる。さらに、この仕切板５４は分岐通路５０側に突出部５４ａを有し、下部受け筐体４７の開放側４７ａから落下したパチンコ玉が傾斜案内板４９を転動した後、分岐通路５０側の頂部５０ｃを越して、非優先側である図２の左方の回収樋９ｂ側に導かれることを防止することができる。また、優先すべき下部貯留タンク８が満杯になり、分岐通路５０から傾斜通路４９までパチンコ玉が詰まり上がってきたときには、図２に示す左方の回収樋９ｂへ導かれることとなる。なお、分岐通路５０の側部には側板５５が設けられているが、左右の傾斜通路５０ａ、５０ｂは上方に設けられた上部規制板５５ａ、５５ｂによってパチンコ玉を均した状態で移送することが可能とされている。
【００３６】
次に、図５に示すように、大容量貯留タンク１内の上部には下り勾配を有する平板状の玉均し板３５が設けられると共に、玉均し板３５の下流側端部付近の上面に上流側に向けて凸の断面湾曲形状の弾性部材からなる緩衝受け部材３６が設けられている。このような構成により、パチンコ玉が玉受けユニット１０から玉均し板３５上へ落下した後、玉均し板３５を転動しながら流下する際のパチンコ玉の勢いを緩衝受け部材３６で緩衝させて下方へ落下させることにより、玉均し板３５の下流側の壁面にパチンコ玉が衝突することがないようにしている。
【００３７】
また、大容量貯留タンク１の傾斜状の底板１８に沿って上流側から下流側に向けて断面コ字形の枠部材で形成されたトンネル状の玉通路３７が設けられている。このような構成により、玉通路３７内を通過するパチンコ玉はその上部に蓄積されたパチンコ玉の圧力を受けることなく転動することが可能となる。
【００３８】
また、図９（ａ）に示すように、この玉通路３７の上流側にはパチンコ玉が流入可能な上流側開口３８が設けられ、玉通路３７の両側壁３７ａ、３７ｂが排出口４０を幅方向に仕切ると共に、排出口４０から外方へ突出形成されている。なお、大容量貯留タンク１内において排出口４０の近傍を上方から覆う圧逃板４１（図５参照）が設けられ、この圧逃板４１によって排出口４０に大量のパチンコ玉による過大な圧力がかかっても玉詰まりの発生を防止することが可能となる。
【００３９】
上記の構成によれば、玉通路３７の外方にて大容量貯留タンク１の底板１８を転動して排出口４０から排出されるパチンコ玉が、流れの向きを排出口４０から外部へ突出した両側壁３７ａ、３７ｂに沿った向きに整えられた状態で玉通路３７内を転動してきたパチンコ玉と合流することとなり、玉通路３７内を転動して排出口４０から排出されるパチンコの玉の流れを妨げることがなく、円滑な排出が可能となる。なお、図５に示す上流側開口３８の上壁をＶ字形に切り欠くことによって、上壁の上流側開口３８に多量のパチンコ玉が押し寄せたときでもパチンコ玉が上壁の縁に沿って斜めに移動することが可能となり、上流側開口３８に多量のパチンコ玉が押し寄せたときでも、上流側開口３８での玉詰まりを回避することが可能となる。
【００４０】
さらに、本発明の他の実施例として、図９（ｂ）に示すように、下流側開口３９は両側壁３７ａ、３７ｂを切り欠いて形成してあり、下流側に貯留されたパチンコ玉がこの下流側開口３９から玉通路３７内に流入可能とされている。また、下流側開口３９の幅方向の内側に排出口４０を幅方向に仕切る仕切壁４３ａ、４３ｂが設けられ、仕切壁４３ａ、４３ｂが排出口４０の外方へ突出形成されている。このような構成により、玉通路３７の外方にて大容量貯留タンク１の床板１８を転動してきて排出口４０から排出されるパチンコ玉が、流れの向きを排出口４０から外部へ突出した仕切壁４３ａ、４３ｂに沿った向きに整えてから玉通路３７内を転動してきたパチンコ玉と合流することとなり、玉通路３７内を転動して排出口４０から排出されるパチンコ玉の流れを妨げることがなく、円滑な排出が可能となる。
【００４１】
上記の実施例においては、図１に示すようなパチンコ台列５Ａ、５Ｂに設けられた大容量貯留タンク１に本発明の玉循環機構を適用して説明してあるが、本発明の玉循環機構は、遊技島２Ａの上部タンク３からオーバーフローしたパチンコ玉を貯留する玉貯留タンク８にも適用することが可能である。
【産業上の利用可能性】
【００４２】
本発明の玉循環機構は、外部から搬送されたパチンコ玉を貯留タンクに貯留する際、パチンコ玉の勢いを緩和した状態で内部へ流下させ、また貯留タンク内に貯留された玉が全体的に満遍なく排出されるようにした玉循環機構として利用することが可能となる。
【符号の説明】
【００４３】
１  大容量貯留タンク
２Ａ、２Ｂ  遊技島
３  上部タンク
４  樋
５  パチンコ台
５Ａ、５Ｂ  パチンコ台列
６  遊技媒体貸出機
７  揚送装置
８  玉貯留タンク
９ａ  補給樋
９ｂ  回収樋
１０  玉受けユニット
１０ａ  筐体
１１  受給口
１２  受給口緩衝部材
１３  パネル
１４  Ｌ字形板金
１５  Ｌ字形縦金
１６ａ  前面壁
１６ｂ  背面壁
１７  補強部材
１８  底板
１８ａ  段差
１９  底板支持部材
２０  スイッチ
２１  スイッチ取付孔
２２  仕切板
２３  両板
２４  天板
２５  湾曲弾性部材
２６  垂下弾性部材
２７ａ、２７ｂ  落下玉受け部材
２７ｃ  落下用隙間
２８  片持支持
２９  肉薄部材
３０  肉厚部材
３１  第１受け部材
３２  第２受け部材
３３ａ、３３ｂ  撓み規制手段
３４  切除部分
３５  玉均し板
３６  緩衝受け部材
３７  玉通路
３７ａ、３７ｂ  両側壁
３８  上流側開口
３９  下流側開口
４０  排出口
４１  圧逃板
４２ａ、４２ｂ  延長部
４３ａ、４３ｂ  仕切壁
４４  計数機
４５  オーバーフロー管
４６  玉受け部材
４７  下部受け筐体
４７ａ  開放側
４８  ブラケット
４９  傾斜案内板
５０  分岐通路
５０ａ、５０ｂ  傾斜通路
５０ｃ  頂部
５１  側壁
５２、５３  脚部
５４  仕切板
５４ａ  突出部
５５  側板
５５ａ、５５ｂ  上部規制板
【図１】
2013121519.tif 000003
【図２】
2013121519.tif 000004
【図３】
2013121519.tif 000005
【図４】
2013121519.tif 000006
【図５】
2013121519.tif 000007
【図６】
2013121519.tif 000008
【図７】
2013121519.tif 000009
【図８】
2013121519.tif 000010
【図９】
2013121519.tif 000011
【図１０】
2013121519.tif 000012
【図１１】
2013121519.tif 000013